(57)【要約】【課題】美観と取付けの容易性を損なうことなく強度等の機能に優れた椅子用カバーを提供する。【解決手段】上カバー３０は、背支柱７に肘掛けを取付けないときに当該背支柱７を覆うものであり、前後側板３０ａと天板３０ｂと外板３０ｃとで樋状に形成されている。その内部に、背支柱７を前後から挟持する一対の係合爪３１が配置されており、前後の係合爪３１はジョイント部３１ａで繋がっており、ジョイント部３１ａはビス３３で外板３０ｃに固定されている。背支柱７には、係合爪３１が嵌まる切り開き溝３２が形成されており、上カバー３０の側板３０ａには、係合爪３１の回動を許容するための逃がし溝３５が形成されている。係合爪３１は上カバー３０とは別部材であるため、上カバー３０は、美観を損なうことなく容易に製造できると共に、係合爪３１の機能も確保できる。【選択図】図５
2020018571.tif 000002
【特許請求の範囲】
【請求項１】
椅子の本体部に、カバーが弾性変形する係合爪を介して取付けられている構成であって、
前記係合爪は前記カバーとは別部材に作られていて、前記カバーに固定されている、
椅子。
【請求項２】
前記係合爪は、棒状又は板状であって前記椅子の本体部を逆方向から挟持するように一対配置されていて、前記一対の係合爪の基端がジョイント部によって一体に繋がっており、前記ジョイント部がビスで前記カバーに固定されている、
請求項１に記載した椅子。
【請求項３】
前記カバーは、背もたれが取り付く背支柱に、当該背支柱を左右外側から覆う状態に装着されるものであり、
前記背支柱は略平面視角形になっている一方、
前記カバーは、前記背支柱の上面と前後面と外側面とを覆うように天板付きの樋状に形成されており、前記カバーの内部に、前記背支柱を前後から挟持して外向き離脱不能に保持する前後一対の係合爪が配置されており、前記一対の係合爪の基端は、前記カバーの内底面に重なるジョイント部によって一体に繋がっており、前記係合爪のジョイント部がビスによって前記カバーに固定されている、
請求項２に記載した椅子。
【請求項４】
前記背支柱の前後両面に、前記係合爪が嵌まり込む切り開き溝が形成されており、前記カバーを左右外側から前記背支柱に対して横向きに嵌め込むと、前記係合爪が前後方向にいったん逃げ回動してから戻り回動して前記背支柱に係合するようになっている一方、
前記カバーの前後内面には、前記係合爪がいったん逃げ回動して前記切り開き溝に入り込むことを許容する逃がし溝が形成されている、
請求項３に記載した椅子。
【請求項５】
椅子の本体部を覆うカバーと、前記本体部に設けた被係合部に係合する弾性変形可能な係合爪とから成り、前記係合爪は、前記カバーとは別体に構成されていて前記カバーに固定されている、
椅子用カバー装置。
【発明の詳細な説明】
【技術分野】
【０００１】
本願発明は、カバーを備えた椅子に関するものである。
【背景技術】
【０００２】
椅子において、本体部をカバーで覆うことは広く行われている。カバーの用途としては、美観のために使用するものや、安全のための保護部材として使用するもの、或いは、オプション品を取付けない場合に使用するものなど、様々である。
【０００３】
特許文献１には、美観と安全とを兼用するカバーとして、水平状の肘掛け取付部を下方から覆う上向き開口トレー状の樹脂製カバーにおいて、肘掛け取付部に形成した係合穴に係合する係合爪を上向きに一体に突設して、係合爪の弾性変形を利用して肘掛け取付部に取り付けるようにしたものが開示されている。
【先行技術文献】
【特許文献】
【０００４】
【特許文献１】特開平１０−１１７８８３号公報
【発明の概要】
【発明が解決しようとする課題】
【０００５】
係合爪は、その先端に鉤状の爪部が形成されており、係合爪がいったん逃げ回動することよって爪部が係合穴に嵌まり込むことが許容されており、爪部が係合穴に入り込むと係合爪は戻り回動する。これにより、爪部が係合穴に引っ掛かった状態が保持されて、カバーは椅子の本体部に離脱不能に保持される。
【０００６】
しかし、係合爪は弾性変形するため、カバーがアルミダイキャスト品のように弾性変形しない部材で構成されている場合は、係合爪をカバーに一定に設けることはできない。また、カバーが樹脂製であっても、材質によっては変形し難い場合があり、この場合も一体に設けることは難しい。更に、鉤状の係合部を形成するためには、金型装置にスライド型を設けるなどせねばならないため、金型装置が複雑化して製造コストが嵩んだりすることもある。
【０００７】
さりとて、カバーをビス止めすると、作業性が悪くなる問題や、ビスの頭が露出して美観を悪化させるという問題が現れる。このため、係合爪は使用することの利点は享受しつつ、カバーの材質等について設計の自由性も確保できる技術が要望されている。
【０００８】
本願発明は、このような要請に応えんとするものである。
【課題を解決するための手段】
【０００９】
本願発明は様々な構成を含んでおり、その典型を各請求項で特定している。このうち請求項１の発明は、
「椅子の本体部に、カバーが、弾性変形する係合爪を介して取付けられている構成であって、
前記係合爪は前記カバーとは別部材に作られていて、前記カバーに固定されている」
という構成になっている。
【００１０】
係合爪をカバーの一部として見ると、請求項１の構成は、カバーが、カバー本体と、これとは別体に構成された係合爪とで構成されており、係合爪がカバー本体に固定されているということもできる。本願発明でいう係合爪は、弾性に抗して変形することにより、椅子の本体部に形成した被係合部に引っ掛かるものを広く含んでいる。従って、係合手段とほぼ同じである。
【００１１】
請求項１の展開例として、請求項２の発明では、
「前記係合爪は、棒状又は板状であって前記椅子の本体部を逆方向から挟持するように一対配置されていて、前記一対の係合爪の基端がジョイント部によって一体に繋がっており、前記ジョイント部がビスで前記カバーに固定されている」
という構成になっている。
【００１２】
なお、請求項２でいう「一対」とは、椅子の本体部を互いに逆方向から挟持できるようになっていることを意味しており、複数ずつの係合爪が対向するようにして存在する状態も含んでいる。つまり、一対とは、係合爪が複数群存在する態様も含む概念である。
【００１３】
請求項３の発明は請求項２の展開例であり、
「前記カバーは、背もたれが取り付く背支柱に、当該背支柱を左右外側から覆う状態に装着されるものであり、
前記背支柱は略平面視角形になっている一方、
前記カバーは、前記背支柱の上面と前後面と外側面とを覆うように天板付きの樋状に形成されており、前記カバーの内部に、前記背支柱を前後から挟持して外向き離脱不能に保持する前後一対の係合爪が配置されており、前記一対の係合爪の基端は、前記カバーの内底面に重なるジョイント部によって一体に繋がっており、前記係合爪のジョイント部がビスによって前記カバーに固定されている」
という構成になっている。
【００１４】
請求項３のカバーは、例えば、背支柱に肘掛け装置を取付けない場合に使用できるが、オプション品として肘掛け装置を取付けできない背支柱にも、装飾用や保護用等の目的で使用できる。
【００１５】
請求項４の発明は、請求項３の好適な展開例であり、
「前記背支柱の前後両面に、前記係合爪が嵌まり込む切り開き溝が形成されており、前記カバーを左右外側から前記背支柱に対して横向きに嵌め込むと、前記係合爪が前後方向にいったん逃げ回動してから戻り回動して前記背支柱に係合するようになっている一方、
前記カバーの前後内面には、前記係合爪がいったん逃げ回動して前記切り開き溝に入り込むことを許容する逃がし溝が形成されている」
という構成になっている。
【００１６】
請求項５の発明は、椅子用カバー装置を対象にしている。すなわちこのカバー装置は、
「椅子の本体部を覆うカバーと、前記本体部に設けた被係合部に係合する弾性変形可能な係合爪とから成り、前記係合爪は、前記カバーとは別体に構成されていて前記カバーに固定されている」
という構成になっている。
【発明の効果】
【００１７】
本願発明では、係合爪はカバーと別部材であるため、カバーの材質に制約を受けることなく、必要な弾性や強度などが確保されるように、素材や形状を任意に選択できる。従って、カバーは、係合爪を使用したことによる取付けの容易性を損なうことなく、その機能を確保できるように材質や形状などを自由に設定できる。また、係合爪の存在によってカバーの製造に手間が掛かるという不具合も生じない。
【００１８】
係合爪は、カバーの用途や形状・機能などに基づいて好適な状態に設計されるが、請求項２のように一対の係合爪で本体部を挟持すると、カバーを安定良く取り付けることができる。そして、係合爪の群はジョイント部によって繋がっているため、一対の係合爪の間隔は正確に規定されて寸法精度に優れており、かつ、例えば１本のビスで固定することもできるため、複数の係合爪を別々に設ける場合に比べて取付けの手間も軽減できる。
【００１９】
請求項３のカバーは背支柱を覆うものであり、例えば、背支柱がアルミダイキャスト品である場合に、カバーもアルミダイキャスト品として統一した美観を実現させつつ、カバーの取付けを容易ならしめることができる。そして、背支柱は前後の係合爪で挟持されているため、外れ防止機能に優れていると共に、ビスは１本でも足りるため、係合爪の取付けも能率良く行うことができる。
【００２０】
請求項４の発明では、カバーの前後内面に、係合爪を格納する逃がし溝が形成されているため、カバーの前後内面を背支柱の前後外面にぴったりと重ねることができる。従って、カバーをガタ付きのない状態で背支柱に装着することができる。
【図面の簡単な説明】
【００２１】
【図１】実施形態の外観図で、（Ａ）は肘掛けを設けた状態での斜視図、（Ｂ）は肘掛けを設けていない状態での斜視図、（Ｃ）は背面斜視図、（Ｄ）は座を分離した状態の斜視図である。
【図２】（Ａ）は平面図、（Ｂ）は側面図、（Ｃ）は正面図、（Ｄ）は背面図である。
【図３】（Ａ）は背もたれの一部破断斜視図、（Ｂ）は表皮材を取り外して背もたれを後ろから見た一部破断斜視図、（Ｃ）は背もたれの部分的な分離側面図である。
【図４】背もたれの回動支持手段を示す図で、（Ａ）は前から見た分離斜視図、（Ｂ）はばねユニットの分離斜視図である。
【図５】（Ａ）は背もたれの回動支持手段を示す分離斜視図、（Ｂ）（Ｃ）は、背支柱とカバーとの関係を示す分離斜視図である。
【図６】（Ａ）は肘掛けを取付けた状態の斜視図、（Ｂ）は肘掛けを分離した状態の斜視図である。
【図７】（Ａ）は肘掛けを分離した状態での斜め後ろから見た斜視図、（Ｂ）は肘掛けを分離した状態での斜め前から見た斜視図である。
【発明を実施するための形態】
【００２２】
(1).概要
次に、本願発明の実施形態を説明する。本願発明は、オフィス等で使用されている回転椅子に適用している。まず、図１，２を参照して、椅子の概要を説明する。椅子は、座１と背もたれ２と脚装置３とを備えている。脚装置３は、５本の枝杆とガスシリンダよりなる脚支柱４とを備えており、各枝杆の先端にキャスタを設けている一方、脚支柱４の上端にベース（図示せず）を嵌着している。脚支柱４は、座１の前後中間点よりも少し後ろに配置されている。
【００２３】
図示していないが、ベースは平面視四角形（横長長方形) のブロック状の形態であり、ベースに、左右のフロントフレーム（座支柱）６と左右の背支柱（リアフレーム）７とを固定して、フロントフレーム６に座１を前後傾動可能に取付けて、背支柱７の上端部に背もたれ２を後傾動可能に取り付けている。
【００２４】
図１（Ｄ）に示すように、フロントフレーム６の上端には前後長手の受け部８が形成されており、座１は、この受け部８に後傾動可能に連結されている。図１（Ａ）、図２（Ｃ）に示すように、背支柱７の上端部には、オプション品として肘掛け９を取り付けることができる。
【００２５】
図２（Ｂ）（Ｃ）に明示するように、左右の背支柱７は、側面視では上に行くに従って前にずれるように傾斜しており、正面視では、上に行くに従って互いの間隔が広がるように傾斜している。
【００２６】
背支柱７は、図２（Ｂ）に明示するように、側面視では、ベース５から後傾姿勢で立ち上がって、概ね座１の高さ位置で前傾姿勢に変わるように屈曲したく字形になっており、正面視では、図２（Ｄ）に明示するように、概ね座１の高さまでは上に向けて外広がりに傾斜して、概ね座１よりも上の範囲ではほぼ直立している。
【００２７】
背支柱７の上部は背もたれ２の下部の左右外側に位置しており、背もたれ２は、その下部を支点にして後傾動するように背支柱７の上端部に取付けられている。従って、図２（Ｂ）に示すように、背もたれ２の回動支点Ｏ１（回動中心）は背もたれ２の肉厚部内に位置している。図２（Ｂ）に示すように、座１の回動支点Ｏ２も、座１の肉厚部内に位置している。
【００２８】
フロントフレーム６及び背支柱７の下半部は、図１（Ｄ）に示すように、いわば対角方向に向けて広がるように、正面視及び側面視で傾斜している。換言すると、フロントフレーム６と背支柱７とは、平面視四角形のベース５のコーナー部から略対角方向に傾斜姿勢で立ち上がっている。更に換言すると、４本のフレーム６，７が、座１の下方においてベース５に向けて収束するような外観を呈している。
【００２９】
左右のフロントフレーム６はアルミダイキャスト品又は樹脂成型品であり、平面視略角形（横長長方形）のフロント基体６ａが一体に形成されている。他方、左右の背支柱７は互いに分離しており、それぞれ平面視略四角形のリア基体７ａが一体に形成されている。そして、左右のリア基体７ａは左右に連続するように重なって、左右のリア基体７ａとフロント基体６ａとは前後に重なるように重なっている。
【００３０】
従って、フロント基体６ａと左右のリア基体７ａとの三者は全体として１つの部材を成すかのように重なっており、この三者によってベースがすっぽりと覆われている。従って、２本のフロントフレーム６と２本の背支柱７とは、平面視略四角形の基部から対角方向に傾斜姿勢で立ち上がったような外観を呈しており、ベースは、椅子をひっくり返さないと視認できない状態になっている。
【００３１】
(2).背もたれの取付け構造
次に、背支柱７に対する背もたれ２の取付け構造を、図３〜５を参照して説明する。図３（Ａ）に示すように、背もたれ２は、樹脂製の背インナーシェル１０の前面に背クッション１１を重ね配置した構造であり、背インナーシェル１０の左右側部が、背用傾動ユニット１２を介して背支柱７の上端部に後傾動可能に取付けられている。背クッション１１は、クロス等の表皮材で覆われている。また、背インナーシェル１０の背面も表皮材で覆われている。従って、表皮材は袋状に形成されている。
【００３２】
例えば図４に示すように、背用傾動ユニット１２は、背インナーシェル１０と一体に動くアウターブラケット１３と、アウターブラケット１３の内部に配置されていて背支柱７に固定されたインナーブラケット１４と、アウターブラケット１３の外側面に重ね配置されたサイドブラケット１５とを備えており、これらは、背インナーシェル１０の曲がりに合わせて、側面視で略く字形になっている。
【００３３】
背インナーシェル１０の屈曲部には、アウターブラケット１３が嵌まり込む凹所１６を形成している。サイドブラケット１５の下半部には外向き凸部１５ａが形成されており、図３（Ｃ）に示すように、サイドブラケット１５は、外向き凸部１５ａのみが背インナーシェル１０の外側にはみ出ており、外向き凸部１５ａが、背支柱７の内側面に当接又は密接している。
【００３４】
アウターブラケット１３とインナーブラケット１４とは、左右横長の枢支ピン１７によって連結されており、かつ、アウターブラケット１３とインナーブラケット１４との間には、枢支ピン１７よりも上の位置においてばね（図示せず）が配置されている。図４（Ｂ）に示すように、アウターブラケット１３とインナーブラケット１４とには、ばねを位置決めするバーリング部１９が形成されている。
【００３５】
アウターブラケット１３とインナーブラケット１４とは、それぞれ側板１３ａ，１４ａとを備えている。また、アウターブラケット１３は、前面板１３ｂと後面板１３ｃも有していて全体として筒状に形成されており、インナーブラケット１４は樋状に形成されている。
【００３６】
図３（Ａ）に示すように、背インナーシェル１０の背面のうち屈曲部の箇所には、左右横長の補強板２０が重ね配置されており、図４（Ａ）から理解できるように、補強板２０の端部と、背インナーシェル１０と、アウターブラケット１３の後面板１３ｃの上部及び下部とが、ビス２１で共締めされている。
【００３７】
図３（Ｂ）のとおり、背インナーシェル１０の背面には、補強板２０をずれ不能に保持する凹溝２２が形成されており、補強板２０は、凹溝２２に設けた位置決め突起２３によっても位置決めされている。
【００３８】
補強板２０の左右両端には、アウターブラケット１３の下端まで延びる下向き張り出し部２０ａが形成されており、下向き張り出し部２０ａが、下部のビス２１によって背インナーシェルとアウターブラケット１３とに共締めされている。着座した人が背もたれ２にもたれ掛かると、背もたれ２の下端部には大きなモーメントが掛かるが、補強板２０が存在するため、モーメントに抵抗する強度を確保できる。
【００３９】
例えば図４（Ｂ）に示すように、アウターブラケット１３の後面板１３ｃには、後ろ向きに開口した透かし穴２４が形成されており、ビス２１による締結は、透かし穴２４を挟んだ上と下との上下２か所において行われている。枢支ピン１７は、アウターブラケット１３とインナーブラケット１４とにきっちり挿通している。
【００４０】
また、枢支ピン１７は、サイドブラケット１５における外向き凸部１５ａの外側にはみ出た露出部を備えており、この露出部が、背支柱７に形成した軸受け溝２５に落とし込みによって嵌め込まれている。図５（Ｂ）に示すように、軸受け溝２５は、手前と左右両側とに開口しつつ、下方に入り込んで背もたれ２に向けて内向きに開口した深溝部２５ａを有しており、枢支ピン１７の露出部は深溝部２５ａによって安定的に支持されている。
【００４１】
敢えて述べるまでもないが、背用傾動ユニット１２を先に背インナーシェル１０の凹所１６にセットしておく一方、背支柱７は予め所定の状態に取り付けておいて、枢支ピン１７の露出部を手前から軸受け溝２５に嵌め入れて深溝部２５ａに落とし込むことにより、背もたれ２は、背支柱７の上端部に回動可能に取付けられる。
【００４２】
既述のとおり，枢支ピン１７は、インナーブラケット１４にも貫通している。そして、図４に明示するように、背支柱７のうち軸受け溝２５よりも下方の部位に外側から横向きボルト２６が挿通されていて、横向きボルト２６が、インナーブラケット１４の内側板１４ａにねじ込まれている。
【００４３】
横向きボルト２６は段付きボルトであり、インナーブラケット１４にねじ込みきると、インナーブラケット１４は、アウターブラケット１３の外側板１３ａとの間に僅かのクリアランスを保持した状態で、背支柱７に連結されている。従って、インナーブラケット１４は、アウターブラケット１３の内部に配置されているものの、横向きボルト２６によって前後動不能及び上下動に保持されて背支柱７と一体化しており、結果として、枢支ピン１７も軸受け溝２５から抜け不能に保持されている。また、アウターブラケット１３は、ばね１８を圧縮させて後傾可能になっている。
【００４４】
図４（Ｂ）から理解できるように、サイドブラケット１５の上端部と下端部とには、アウターブラケット１３に向けて突出した上下の係合爪２７が形成されている一方、アウターブラケット１３の外側の側板１３ａには、係合爪２７が係合する係合穴２８を形成している。
【００４５】
従って、サイドブラケット１５は、アウターブラケット１３と一体に回動する。そして、横向きボルト２６はサイドブラケット１５とアウターブラケット１３とに貫通しているので、サイドブラケット１５及びアウターブラケット１３が背もたれ２と一体に回動することを許容するため、サイドブラケット１５とアウターブラケット１３とには、枢支ピン１７を曲率半径の中心とした円弧穴２９が空いている。
【００４６】
(3).上カバー
図１（Ａ）のとおり、背支柱７の上端部に肘掛け９を取り付けることができるが、肘掛け９を取付けていない状態では、例えば図５に示すように、背支柱７の上部は上カバー３０で覆われている。上カバー３０の外面はその下方の部位と同一面になっている。従って、例えば図４（Ａ）に明示するように、背支柱７のうち上カバー３０で覆われている上部７ｃは、段部７ｂを介して少し細くなっている。
【００４７】
例えば図５に明示するように、上カバー３０は、背支柱７を左右外側から覆うように溝形になっている。すなわち、背支柱７の上部７ｃの前後外面に重なる前後の側板３０ａと、背支柱７の上面に重なる天板３０ｂと、背支柱７の上部７ｃの横向き外面に重なる外板３０ｃとを有しており、内側と下方とに開口している。
【００４８】
そして、例えば図５のとおり、外板３０ｃの内面に、横向きに突出した前後の係合爪３１が固定されている一方、背支柱７の前後両面に、横向き係合爪３１が嵌まり係合する前後の切り開き溝３２を形成している。前後の横向き係合爪３１は、板状のジョイント部３１ａを介して一体に繋がっており、ジョイント部３１ａが、１本の横向きビス３３によって、上カバー３０の外板３０ｃに固定されている。
【００４９】
従って、上カバー３０の外板３０ｃには、横向きビス３３がねじ込まれるボス部３４を形成している。なお、図５（Ｂ）（Ｃ）に示すように、上カバー３０における外板３０ｃの内面には、縦横に延びる多数のリブ（或いは多数の角形凹部）を形成している。
【００５０】
他方、背支柱７の上部７ｃに形成した切り開き溝３２のうち背もたれ２に近い端部には、係合爪３１が引っ掛かり係合する被係合部の例として、係合爪３１の鉤部が嵌合する係合段部３２ａを形成している。従って、上カバー３０を横方向から背支柱７の上部に嵌め込んで押さえると、係合爪３１は、その鉤部が切り開き溝３２に当たっている間は、弾性に抗して変形して前後外側に逃げ回動して、上カバー３０を押し込みきると、係合爪３１は弾性復元力によって戻り回動して、先端の鉤部が切り開き溝３２の係合段部３２ａに嵌まり込んで、抜けない状態に不能に保持される。
【００５１】
背支柱７と上カバー３０とをアルミダキャスト品として、銀色の金属色を強調したデザインとすることができるが、アルミダイキャスト品には係合爪３１を一体成型することは不可能であり、さりとて、上カバー３０をビスで背支柱７の上部７ｃに固定すると、ビスの頭が露出するため美観が良くない。
【００５２】
これに対して本実施形態のように、合成樹脂製の係合爪３１を上カバー３０に固定すると、上カバー３０がアルミダイキャスト品であっても、背支柱７の上部７ｃにワンタッチ的に取り付けることができる。また、本実施形態では、上カバー３０は、係合爪３１と切り開き溝３２との嵌まり合いによって上向き抜け不能に保持されているため、上カバー３０をガタ付きのない状態に保持できる。従って、上カバー３０の外面と背支柱７の外面とを同一面状に保持して、品質を向上できる。
【００５３】
図５（Ｂ）（Ｃ）のとおり、上カバー３０の内部には、背支柱７の軸受け溝２５に嵌合する第１リブ３６を形成している。また、背支柱７における上部７ｃのうち軸受け溝２５よりも上の部分の手前がカットされていて前後厚さが小さくなっていることから、上カバー３０の内部には、背支柱７の上部７ｃのカット部と嵌合する第２リブ３７が形成されており、第１リブ３６と第２リブ３７とは一体に連続しているが、互いに分離させてもよい。第１リブ３６が軸受け溝２５に嵌まり込でいることにより、上カバー３０は上向き移動不能に保持されている。
【００５４】
(4).肘掛け及びその取付け構造
念のため、肘掛け９とその取付け構造を、図６，７を参照して説明しておく。肘掛け９は固定式であり、前後に長いループ状になっている。すなわち、肘掛け９は、背支柱７の上部に重なる基部９ａと、これから前向きに突出した上下のアーム部９ｂ，９ｃと、上下のアーム部９ｂ，９ｃの前端に繋がった先端連結部９ｄとで前後長手のループ形状になっている。基部９ａの下端は、下アーム部９ｃの下方に突出した下向き突出部９ｅになっている。
【００５５】
肘掛け９は、合成樹脂製でもよいしアルミダイキャスト製であってもよい。また、上面に、エラストマー等のクッション層を設けてもよい。
【００５６】
肘掛け９の基部９ａは、上カバー３０と同様に、左右外側から背支柱７の上部７ｃに嵌め込む（被嵌する）ようになっている。従って、肘掛け９の基部９ａには、背支柱７の上部７ｃが入り込む凹部３８を形成しており、基部９ａは、上下のビス３９，４０によって背支柱７の上部７ｃに固定されている。
【００５７】
従って、肘掛け９の基部９ａには、ビス３９，４０が挿通する取付け穴４１，４２が前後に貫通して、背支柱７の上部７ｃには、ビス３９，４０がねじ込まれるタップ穴４３が空いている。取付け穴４１，４２には、ビス３９，４０の頭が入り込む座繰り穴を形成している。従って、ビス３９，４０の頭を取付け穴４１，４２から殆ど露出しておらず、美観の問題は生じない。
【００５８】
美観の点について更に補足しておく。人が肘掛け９を見る場合、立った状態で見るにしても、他の椅子に腰掛けた状態で見るにしても、通常は、肘掛け９は人の頭よりも低い位置にあるため、人の視線は肘掛け９に対して斜め下向きに向いている。従って、取付け穴４１，４２は、肘掛け９の前向きアーム部９ｂ，９ｃの影に隠れて殆ど視認できない。
【００５９】
特に、下部の取付け穴４２は、下部のアーム部９ｃと下向き突出部９ｅとの連設部に形成されているため、人は身体を屈めて下方から覗き見ない限り、下部の取付け穴４２を視認することはできない。従って、現実的には、下部の取付け穴４２が人目に触れることは皆無であるといえる。結局、取付け穴４１，４２に起因した美観の悪化は、現実には生じないといえる。
【００６０】
肘掛け９にも、上カバー３０と同様に、背支柱７の軸受け溝２５に嵌合する第１リブ３６と、背支柱７の上部７ｃのカット部と嵌合する第２リブ３７とが形成されており、第１リブ３６が軸受け溝２５に嵌まり込んでいることにより、肘掛け９は上下動不能に保持されている。図では第１リブ３６と第２リブ３７とが一連に連続しているが、両者は分離させてもよい。
【００６１】
また、肘掛け９には下向きの大きなモーメントが掛かるが、肘掛け９の第１リブ３６は、肘掛け９に対して下向きモーメントが掛かったときの抵抗としても機能するため、肘掛け９で支持できる荷重を格段に高めて高い信頼性を確保することができる。また、第２リブ３７の箇所は必然的に厚くなっているが、上部の取付け穴４１は第２リブ３７の箇所に設けているため、ビス３９の頭を隠す座繰り穴を上部の取付け穴４１に形成しても、強度低下の問題は生じない。
【００６２】
(4).その他
以上、本願発明の実施形態を説明したが、本願発明は他にも様々に具体化できる。例えば、本願発明の適用対象は背支柱を覆う上カバーには限らず、例えば、ベースを下方から覆うカバーや、背インナーシェルを後ろから覆う背カバー、背支柱やバックフレームなどにハンガーやヘッドレストを取り付けないときに使用するカバーなど、各種のカバーに適用できる。
【００６３】
また、１つのジョイント部に複数本ずつの係合爪を形成してもよい。係合爪は、必ずしも実施形態のような鉤部を有する形態である必要はないのであり、例えば、帯板状に形成して先端部に係合穴を空けた形態も採用できる（この場合は、椅子本体には、被係合部として、係合穴に嵌まる係合突起を設ける必要がある。）。係合爪をカバーに固定する手段としては、ビスの他に、リベットなどのファスナーを使用したり、カバーに形成したボス部でかしめ付けたりすることも可能である。
【００６４】
また、本願発明の適用対象は回転椅子には限らず、会議用などに多用されている固定脚式椅子にも適用できる。背もたれ（及び座）の構造も、任意に設定できる。例えば、フレームにメッシュを張った構造も採用できる。また、敢えて述べるまでもないが、本願発明は、背もたれがロッキングしないタイプの椅子にも適用できる。
【産業上の利用可能性】
【００６５】
本願発明は、椅子に具体化できる。従って、産業上利用できる。
【符号の説明】
【００６６】
２  背もたれ
５  ベース
７  背支柱
１０  背インナーシェル
１１  背クッション
１２  背用傾動ユニット
１６  背インナーシェルに形成した凹所
１７  枢支ピン
２５  軸受け溝
３０  上カバー
３０ａ  側板
３０ｂ  天板
３０ｃ  外板
３１  係合爪
３１ａ  ジョイント部
３２  切り開き溝
３２ａ  係合段部
３３  横向きビス
３６，３７  リブ
【図１】
2020018571.tif 000003
【図２】
2020018571.tif 000004
【図３】
2020018571.tif 000005
【図４】
2020018571.tif 000006
【図５】
2020018571.tif 000007
【図６】
2020018571.tif 000008
【図７】
2020018571.tif 000009